(57)【要約】  コンテンツ編集作業の作業状況を管理する場合に、ユーザ毎に与えられる処理権限に対応する作業項目が示された複数のテンプレートを備え、予めユーザ情報と共に当該ユーザの処理権限に対応するテンプレートをデータベース（１４）に登録しておき、コンテンツ編集へのユーザアクセス時に、データベース（１４）を参照してアクセスユーザを認証し、登録ユーザならば該当するテンプレートを選択して、当該テンプレートに示される作業項目を表示し、作業項目それぞれに対応する作業実行を把握して、その作業履歴をテンプレートの対応する項目に保存しておき、再度同一ユーザのアクセスがあったとき、表示テンプレートに作業履歴を示す。
2007058207.tif 000002
【特許請求の範囲】
【請求項１】
コンテンツの編集作業を行うコンテンツ編集装置に対して作業状況を管理するコンテンツ管理システムにおいて、
予め登録ユーザそれぞれについてアクセス時の認証用識別情報、処理権限を含む情報を示すユーザ管理テーブルと、前記コンテンツの作業情報として、処理権限毎に処理可能な作業項目とそれぞれの作業状況をテンプレートの形式で示すコンテンツ管理テーブルとを登録するデータベースと、
前記コンテンツ編集装置へアクセスがあった時に、前記データベースのユーザ管理テーブルを参照してアクセスユーザを認証する認証手段と、
前記アクセスユーザが前記登録ユーザならば前記ユーザ管理テーブルを参照してその登録ユーザに割り当てられている処理権限を判別する処理権限判別手段と、
前記コンテンツ管理テーブルを参照して前記判別手段で判別された処理権限に該当するテンプレートを選択するテンプレート選択手段と、
前記テンプレートに示される作業項目を表示し、作業項目それぞれに対応する作業実行を把握して、その作業履歴を前記テンプレートの対応する項目に保存するテンプレート更新手段とを具備し、
前記テンプレート更新手段は、同一ユーザのアクセス時に前記作業履歴を表示テンプレートの該当項目に示すことを特徴とするコンテンツ管理システム。
【請求項２】
前記テンプレートは、作業項目毎にタグシートを用意し、複数のタグシートを時系列的に並べて表示するように作成されることを特徴とする請求項１記載のコンテンツ管理システム。
【請求項３】
コンテンツの編集作業を行うコンテンツ編集装置に対して作業状況を管理するコンテンツ管理方法において、
予め登録ユーザそれぞれについてアクセス時の認証用識別情報、処理権限を含む情報を示すユーザ管理テーブルと、前記コンテンツの作業情報として、処理権限毎に処理可能な作業項目とそれぞれの作業状況をテンプレートの形式で示すコンテンツ管理テーブルとをデータベースに登録しておき、
前記コンテンツ編集装置へアクセスがあった時に、前記データベースのユーザ管理テーブルを参照してアクセスユーザを認証し、
前記認証の結果、登録ユーザならば前記ユーザ管理テーブルを参照してその登録ユーザに割り当てられている処理権限を判別し、
前記コンテンツ管理テーブルを参照して判別された処理権限に該当するテンプレートを選択し、
前記選択されたテンプレートに示される作業項目を表示し、作業項目それぞれに対応する作業実行を把握して、その作業履歴を前記テンプレートの対応する項目に保存し、
再度同一ユーザのアクセスがあったとき、前記テンプレートに作業履歴を含めて表示することを特徴とするコンテンツ管理方法。
【請求項４】
前記テンプレートは、作業項目毎にタグシートを用意し、複数のタグシートを時系列的に並べて表示するように作成されることを特徴とする請求項３記載のコンテンツ管理方法。
【発明の詳細な説明】
【技術分野】
【０００１】
本発明は、例えば放送番組で使用する映像／音声素材（コンテンツ）の編集作業を行うオーサリング装置等に用いられ、作業状況を一括管理するコンテンツ管理システムとその管理方法に関する。
【背景技術】
【０００２】
従来、放送局では、放送番組の編集作業を行う際、システム全体として一つのコンテンツの遷移を専用のアプリケーションで管理している。しかしながら、この種のアプリケーションでは、ユーザごとの管理を行っていないため、以前にユーザが作業したコンテンツを使用する場合でも、その都度記録媒体から検索する必要があり、作業を開始する前の準備に時間がかかっている。また、ユーザからみて編集作業の進捗状況を把握し難く、作業ルーチンの途中で思考がとまってしまうことがあり、作業漏れの発生を招いている。【０００３】
尚、この種の問題を改善する従来技術として、日本特許公開公報２００５−２５８９８２に一連の作業を効率的に管理する手法が提示されている。しかしながら、この文献に記載の技術は分散ネットワークシステムにおいて、ユーザが作業中断の前後で異なる端末を用いる場合に、中断前の作業を中断後に継続して実施可能とするものである。本願発明は、特に分散ネットワークシステムに限定されるものではなく、作業進捗状況を常に的確に把握可能として作業効率の向上を図る点に特徴がある。
【発明の開示】
【０００４】
本発明の目的は、ユーザ単位で作業の進捗及び実施すべき作業を一覧表示することができ、これによって作業開始前の準備作業の削減及び作業漏れの低減を実現することのできるコンテンツ管理システムとその管理方法を提供することにある。
【０００５】
本発明は、予め登録ユーザそれぞれについてアクセス時の認証用識別情報、処理権限を含む情報を示すユーザ管理テーブルと、前記コンテンツの作業情報として、処理権限毎に処理可能な作業項目とそれぞれの作業状況をテンプレートの形式で示すコンテンツ管理テーブルとを登録するデータベースと、前記コンテンツ編集装置へアクセスがあった時に、前記データベースのユーザ管理テーブルを参照してアクセスユーザを認証する認証手段と、前記アクセスユーザが前記登録ユーザならば前記ユーザ管理テーブルを参照してその登録ユーザに割り当てられている処理権限を判別する処理権限判別手段と、前記コンテンツ管理テーブルを参照して前記判別手段で判別された処理権限に該当するテンプレートを選択するテンプレート選択手段と、前記テンプレートに示される作業項目を表示し、作業項目それぞれに対応する作業実行を把握して、その作業履歴を前記テンプレートの対応する項目に保存するテンプレート更新手段とを具備し、前記テンプレート更新手段は、同一ユーザのアクセス時に前記作業履歴を表示テンプレートの該当項目に示すものである。
【０００６】
また、本発明は、コンテンツの編集作業を行うコンテンツ編集装置に対して作業状況を管理するコンテンツ管理方法において、予め登録ユーザそれぞれについてアクセス時の認証用識別情報、処理権限を含む情報を示すユーザ管理テーブルと、前記コンテンツの作業情報として、処理権限毎に処理可能な作業項目とそれぞれの作業状況をテンプレートの形式で示すコンテンツ管理テーブルとをデータベースに登録しておき、前記コンテンツ編集装置へアクセスがあった時に、前記データベースのユーザ管理テーブルを参照してアクセスユーザを認証し、前記認証の結果、登録ユーザならば前記ユーザ管理テーブルを参照してその登録ユーザに割り当てられている処理権限を判別し、前記コンテンツ管理テーブルを参照して判別された処理権限に該当するテンプレートを選択し、前記選択されたテンプレートに示される作業項目を表示し、作業項目それぞれに対応する作業実行を把握して、その作業履歴を前記テンプレートの対応する項目に保存し、再度同一ユーザのアクセスがあったとき、前記テンプレートに作業履歴を含めて表示するものである。
【図面の簡単な説明】
【０００７】
【図１】図１は、本発明に係るコンテンツ管理システムの一実施形態を示すブロック構成図である。
【図２】図２は、図１に示すシステムのデータベース装置に登録されるユーザ管理テーブルの一例を示す図である。
【図３】図３は、図１に示すシステムのデータベース装置に登録されるコンテンツ管理テーブルの一例を示す図である。
【図４】図４は、図１に示すシステムの一連の処理の流れを示すフローチャートである。
【図５】図５は、図１に示すシステムにおいて、ユーザ毎にコンテンツ管理を行うためのテンプレート表示画面の一例を示す図である。
【発明を実施するための最良の形態】
【０００８】
以下、図面を参照して本発明の実施の形態を詳細に説明する。【０００９】
図１は、本発明に係るコンテンツ管理システムの一実施形態を示すブロック構成図である。図１において、１１はバスであり、このバス１１にはコンテンツ編集処理用のビデオサーバ１２、ＧＵＩ（グラフィカル・ユーザ・インターフェース）装置１３、ユーザ情報及び作業情報を格納するデータベース装置（ＤＢ）１４、作業用にコンテンツを一時的に格納するコンテンツ格納装置１５が接続され、さらに外部のコンテンツ記録装置との間でコンテンツをやりとりするための外部インターフェース装置（外部Ｉ／Ｆ）１６が接続される。【００１０】
上記ビデオサーバ１２には、ＶＴＲ（ビデオ・テープ・レコーダ）等のコンテンツ記録装置１２１、表示モニタ装置１２２が接続される。また、ＧＵＩ装置１３には、キーボード１３１、マウス１３２等の操作入力端末が接続される。また、データベース装置１４には、予め登録ユーザを特定するための情報として、ログイン識別コード（ＩＤ）、パスワード等のアクセス時の認証用識別情報、処理権限等を含む情報を示すユーザ管理テーブル１４１を登録しておき、コンテンツの作業情報として、処理権限毎に処理可能な作業項目とそれぞれの作業状況をテンプレートの形式で示すコンテンツ管理テーブル１４２を登録しておく。図２にユーザ管理テーブル１４１の一例を示し、図３にコンテンツ管理テーブル１４２の一例を示す。【００１１】
上記構成において、本発明に係るコンテンツ管理手法について、図４を参照して説明する。図４は上記コンテンツ管理手法の一連の処理の流れを示すフローチャートである。【００１２】
図４において、放送番組のコンテンツ編集実行が指示された場合、ログイン画面からスタートし、ユーザにログインＩＤの入力を要求する（ステップＳ１）。ログインＩＤが入力された場合には、データベース装置１４のユーザ管理テーブル１４１を参照して登録ユーザか否かを判断し（ステップＳ２）、登録ユーザでなければアクセスを拒否し（ステップＳ３）、登録ユーザならばユーザ管理テーブル１４１からユーザ情報を取得し（ステップＳ４）、ユーザ情報として登録されている処理権限を判定して（ステップＳ５）、コンテンツ管理テーブル１４２から該当する作業項目一覧のテンプレートを読み出して表示する（ステップＳ６）。【００１３】
図５に、ユーザ毎にコンテンツ管理を行うためのテンプレート表示画面の一例を示す。この例では、ログインユーザが全ての処理権限を有する場合の作業項目一覧を示している。この例に示すテンプレートの表示形式では、各作業項目をタグシートで時系列的に重ねて表示するようにしている。すなわち、作業項目として、ビデオサーバ１２に収録された搬入素材に関する情報（アセット名称、収録予定日、登録日、登録者、備考等）（タグ：搬入）、編集結果を示すリスト（タグ：ＥＤＬ（Edit Decision List））、借用を申請している素材リスト（タグ：借用申請中）、現在借用中の素材リスト（タグ：借用中）、送出を申請している素材リスト（タグ：送出申請中）、送出の準備段階にある素材リスト（タグ：送出準備）、送出の最終確認のとれた素材リスト（タグ：承認）が用意されている。ログインユーザの処理権限が制限されている場合には、許可されていない処理のタグシートを消去し、ユーザにとって無用な表示は行わないようにする。【００１４】
上記テンプレート表示画面にタグシートの表示後、ユーザのタグ選択操作を待ち（ステップＳ７）、選択操作があった場合には、コンテンツ管理テーブル１４２からタグを選択したログインユーザが担当するコンテンツを検索し表示し（ステップＳ８）、選択されたコンテンツの編集作業に移行する（ステップＳ９）。編集作業の終了が指示されると、その編集が行われたコンテンツの作業担当を確定し（ステップＳ１０）、その作業中の内容を実行リストに追加してその履歴を保存（タグシートへの書き込み）する（ステップＳ１１）。ここで、作業の完了を確認し（ステップＳ１２）、作業が完了していない場合にはステップＳ９に戻ってコンテンツの編集作業に移行する。作業が完了した場合には、操作継続か否かの選択操作を判定し（ステップＳ１３）、継続指示ならばステップＳ７に移行し、終了指示ならばログオフとして、一連の処理を終了する。【００１５】
上記のコンテンツ管理手法によれば、ログインユーザが行う作業別にコンテンツを一覧表示し（図５に示す搬入タブ、ＥＤＬタブ、送出準備タブ、承認タブ等）、ユーザが行った作業の進捗状況も同様に一覧表示する（図５に示す借用申請中タブ、借用中タブ、送出申請中タブ等）。したがって、各一覧から所望の作業を選択し、任意のコンテンツを指定することで、直ちに作業を開始し、また中断した作業を再開することが可能となる。この結果、従来の管理方法に比べて各作業を行うまでの準備時間の短縮を実現することができる。また、ユーザ毎に必要とする作業内容が提示されるため、作業漏れを飛躍的に低減することができ、致命的なコンテンツ送出ミスを未然に防ぐことができる。
【産業上の利用可能性】
【００１６】
本発明は、放送番組で使用するコンテンツの編集作業を行うオーサリング装置に用いて好適するものである。
【図１】
2007058207.tif 000003
【図２】
2007058207.tif 000004
【図３】
2007058207.tif 000005
【図４】
2007058207.tif 000006
【図５】
2007058207.tif 000007
【国際調査報告】
2007058207.tif 000008
2007058207.tif 000009